(57)【特許請求の範囲】
【請求項１】
加熱手段と、前記加熱手段をオン・オフするための操作手段と、前記操作手段により前記加熱手段がオン・オフしたときにその状態に連動して換気装置を連動させるために無線でオン・オフ信号を送信する無線送信手段と、を備え、前記無線送信手段は、同じ意味の制御コマンドで異なるコード信号を少なくとも２種類以上を用いて順番に送信するとともに、前記同じ意味の制御コマンドで異なるコード信号のうち、その符号長の短い符号の信号より順番に送信する加熱調理器。
【発明の詳細な説明】
【技術分野】
【０００１】
本発明は、加熱のオン・オフに連動して換気装置を動作させるための信号を無線にて行う加熱調理器に関する。
【背景技術】
【０００２】
従来、鍋などを加熱する加熱調理器と加熱のオン・オフに連動する換気装置について、その連動方式として有線方式により加熱調理器から換気装置に信号を送信する方式や、赤外線や電波などを用いて無線で加熱調理器から換気装置に信号を送信する方式のものが知られている（例えば、特許文献１参照）。特に近年、連動のための有線工事の必要のない無線方式が採用されている。以下、無線方式により連動させるための加熱調理器の動作について説明する。
【０００３】
図５は従来の加熱調理器とそのオン・オフに連動する換気装置の構成ブロック図である。図５において、１は一般家庭の単相三線の商用電源、２は加熱調理器、３は加熱調理器２が設置されている台所などの換気を行うための換気装置であるレンジフードである。更に４は加熱調理器２において鍋などを加熱する加熱手段、５は加熱手段４を制御する加熱制御手段、６は加熱のオン・オフや加熱手段４の火力を設定する操作手段、７は操作手段６により加熱のオン・オフが操作されたときに赤外線にて信号を送信する無線送信手段である。
【０００４】
また、８はレンジフード３において加熱調理器２からの無線信号を受信する無線受信手段、９は換気を行うための換気ファン、１０は換気ファンを制御する換気ファン制御手段である。
【０００５】
以上のように構成された加熱調理器２とレンジフード３について、その連動動作について図６のタイミングチャートを用いて説明する。
【０００６】
図６の（６−ａ）は加熱手段４の加熱状態を表している。同じく（６−ｄ）はレンジフード３の動作を表している。（６−ｂ）は無線送信手段７からのオン信号、（６−ｃ）は無線送信手段７からのオフ信号であり、ここでは無線送信手段７からのオンおよびオフ信号ともｈｉｇｈｔとｌｏｗの信号としているが、実際には符号化された異なる信号を用いて送信している。そして加熱手段４がオンになると同時に、無線送信手段７から１回オン信号が出力され、同様に加熱手段４がオフになると同時に１回オフ信号が出力される。これら無線送信手段７からの信号を無線受信手段８が受けて、レンジフード３の換気ファン９がオン・オフの動作を行う。
【先行技術文献】
【特許文献】
【０００７】
【特許文献１】特開２０００−３０４２７０号公報（第２−５貢、第１図）
【発明の概要】
【発明が解決しようとする課題】
【０００８】
しかしながら、前記従来の加熱調理器では無線送信手段によるオン・オフ信号の送信はそれぞれ１つの符号化されたコード信号を送信するのみであり、それらのコード信号に対応したレンジフードのみしか連動できない。つまり、異なるメーカのレンジフードに対してそれぞれオン・オフの信号が異なる場合は、同じ連動動作に対して送信するコード信号を変えなければならず、そのための無線送信手段を備えた基板に切り替えスイッチを設け
たり、あらかじめコード信号を変えたものを用意しなければならず、それらを区別するための管理やコストアップの原因となっている。
【課題を解決するための手段】
【０００９】
前記従来の課題を解決するために、本発明の加熱調理器は、加熱手段と、前記加熱手段をオン・オフするための操作手段と、前記操作手段により前記加熱手段がオン・オフしたときにその状態に連動して換気装置を連動させるために無線でオン・オフ信号を送信する無線送信手段と、を備え、前記無線送信手段は、同じ意味の制御コマンドで異なるコード信号を少なくとも２種類以上を用いて順番に送信するとともに、前記同じ意味の制御コマンドで異なるコード信号のうち、その符号長の短い符号の信号より順番に送信する加熱調理器とするものである。
【発明の効果】
【００１０】
本発明によれば、加熱手段と、前記加熱手段をオン・オフするための操作手段と、前記操作手段により前記加熱手段がオン・オフしたときにその状態に連動して換気装置を連動させるために無線でオン・オフ信号を送信する無線送信手段と、を備え、前記無線送信手段は、同じ意味の制御コマンドで異なるコード信号を少なくとも２種類以上を用いて順番に送信するとともに、前記同じ意味の制御コマンドで異なるコード信号のうち、その符号長の短い符号の信号より順番に送信する加熱調理器とするものであり、複数のメーカの換気装置と連動し、かつそれらの換気装置の連動信号が異なる場合に、前記無線操作手段を備えた基板を共用化でき管理の手間を省くとともにコストダウンを図ることができる。
また、順次送信される信号のうち後半に送信される信号に連動する換気装置の、動作を開始する時間をできるだけ早くすることができる。
【図面の簡単な説明】
【００１１】
【図１】本発明の第１の実施例である加熱調理器の構成を示すブロック図
【図２】同、無線送信手段の信号送信タイミング図
【図３】同、無線送信手段の信号送信割り込み時のタイミング図
【図４】同、無線受信手段の受光素子のバンドパスフィルターの特性図
【図５】従来の加熱調理器の構成を示すブロック図
【図６】同、無線送信手段の送信タイミング図
【発明を実施するための形態】
【００１２】
請求項１記載の発明は、加熱手段と、前記加熱手段をオン・オフするための操作手段と、前記操作手段により前記加熱手段がオン・オフしたときにその状態に連動して換気装置
を連動させるために無線でオン・オフ信号を送信する無線送信手段とを備え、前記無線送信手段は、同じ意味の制御コマンドで異なるコード信号を少なくとも２種類以上を用いて順番に送信するとともに、前記同じ意味の制御コマンドで異なるコード信号のうち、その符号長の短い符号の信号より順番に送信する加熱調理器とするものであり、複数のメーカの換気装置と連動し、かつそれらの換気装置の連動信号が異なる場合に、前記無線操作手段を備えた基板を共用化でき管理の手間を省くとともにコストダウンを図ることができる。
また、順次送信される信号のうち後半に送信される信号に連動する換気装置の、動作を開始する時間をできるだけ早くすることができる。
【００１８】
（実施の形態１）
以下本発明の第１の実施の形態について説明する。図１は加熱調理器とそのオン・オフに連動する換気装置の構成ブロック図である。
【００１９】
図１において、１は一般家庭の単相三線の商用電源、２は加熱調理器、３は加熱調理器２が設置されている台所などの換気を行うための換気装置であるレンジフードである。更に４は加熱調理器２において鍋などを加熱する加熱手段、５は加熱手段４を制御する加熱制御手段、６は加熱のオン・オフや加熱手段４の火力を設定する操作手段、７は操作手段６により加熱のオン・オフが操作されたときに赤外線にて信号を送信する無線送信手段である。
【００２０】
また、８はレンジフード３において加熱調理器２からの無線信号を受信する無線受信手段、９は換気を行うための換気ファン、１０は換気ファンを制御する換気ファン制御手段である。
【００２１】
以上のような構成で加熱調理器２と連動させるレンジフード３が異なる３社のメーカで、各社レンジフードを連動してオン・オフさせるための制御コマンドのコード信号が異なる場合の無線送信手段７により送信される連動信号と各社のレンジフードの連動タイミングについて図２のタイミングチャートを用いて説明する。
【００２２】
操作手段６により加熱調理器２による加熱を開始すると無線送信手段７はＡ社のレンジフードのオンの制御コマンド信号に対応するコードである符号“ａ”を送信する。次にＢ社のレンジフードのオンの制御コマンド信号に対応するコードである符号“ｂ”を、最後にＣ社のレンジフードのオンの制御コマンド信号に対応するコードである符号“ｃ”順番に送信する。この場合、各信号の送信間隔は各符号の終わりを示すトレーラーコードよりも長い時間にしておけば、無線受信手段８はそれぞれに有効な信号を正しく受信することができる。これにより加熱調理器側では個々のレンジフードに対応した商品を作る必要がなく、無線送信手段７を備えた基板を複数作り管理する必要がなく共用化を図ることができる。
【００２３】
更に本実施例で各符号の符号長がａ＜ｂ＜ｃという用になっている場合、送信順番を符号長の短い信号から順に送信することで２番目の符号で連動するメーカの、連動までの時間をより早くすることができ、極力連動動作の違和感を緩和することができる。
【００２４】
また、図３で示すように加熱調理器２の操作手段６により、短時間のオン・オフ操作がなされて、まず無線送信手段７により連動オン信号を順番に送信している最中に加熱調理器２の加熱を停止（終了）した場合、加熱停止となったタイミングでオン信号の送信をやめて、オフ信号を送信する。これにより、既に正しく送信し終わっている符号“ａ”により換気動作を始めるＡ社のレンジフードの場合は、再度オフ信号である“ｄ”を受信し加熱調理器２の加熱停止にあわせて換気動作をオフすることができる。
【００２５】
また、無線送信手段７は符号“ｂ”を送信し終わる前にオン信号の送信を中止しているので、Ｂ社のレンジフードは正しい信号を受信しておらず、動作はオフ状態のままであり、その後オフ信号の“ｅ”を受け取るが、オフ状態でのオフ信号であるため加熱がオフしているときにはレンジフードはオフ状態を保つことができる。これにより、使用者は加熱調理器とレンジフードの動作に違和感をなくすことができる。更に、無線送信手段７を赤外線で構成することにより比較的安価にできる。
【００２６】
また、前記赤外線のキャリア周波数は一般のリモコン機器で多くもちいられている財団法人家電製品協会（以下家製協）のフォーマット形式である３６．７ｋＨｚとすることで汎用的なマイコンやＩＣを使用することができ、比較的安価にできる。
【００２７】
また、無線送信手段７で送信される複数の信号に対して、キャリア周波数が複数存在する場合がある。例えば符号“ａ”と“ｃ”はキャリア周波数に３６．７ｋＨｚを使用し、符号“ｂ”は３８．０ｋＨｚを使用するとする。一般に無線受信手段にもちいられる受光素子はそれぞれのキャリア周波数用に図４のような特性のバンドパスフィルターを介して受信しており、設置状態での加熱調理器２とレンジフード３との連動動作を踏まえて例えば周波数を３７．５ｋＨｚにしても受信は可能である。このようにキャリア周波数を１種類にすることでプログラムの簡素化を図ることができる。
【産業上の利用可能性】
【００２８】
以上のように本発明にかかる加熱調理器は、無線送信手段が、同じ意味の制御コマンドで異なるコード信号を少なくとも２種類以上を順番に送信し、複数のメーカの換気装置と連動し、かつそれらの換気装置の連動信号が異なる場合に、前記無線操作手段を備えた基板を共用化できるので、加熱のオン・オフに連動して換気装置を動作させるための信号を無線にて行う加熱調理器等の用途に適用できる。
【符号の説明】
【００２９】
４  加熱手段
６  操作手段
７  無線送信手段
【図１】
0004752947.tif 000002
【図２】
0004752947.tif 000003
【図３】
0004752947.tif 000004
【図４】
0004752947.tif 000005
【図５】
0004752947.tif 000006
【図６】
0004752947.tif 000007